(57)【要約】      （修正有）【課題】集合住宅内へ不法に侵入した泥棒等の不審者に対する防犯性を高める。【解決手段】集合住宅内から外へ出ようとしている人物Ｐ2がオートドア５に接近し人体感知センサ７にて検知されると、オートドア駆動装置６の制御によるオートドアの開成に連動して監視カメラ２にて人物監視映像が撮像され、この人物監視映像を制御装置８の制御により録画装置３に保存させることができる。また、集合玄関機１にて呼出操作を行った来訪者Ｐ1からの呼び出しを確認した居住者が居室親機４ａ、４ｂ、・・・のカメラ選択ボタン４３を操作すると、監視カメラのアングルが制御装置の制御により一時的に来訪者に向けられ、この監視カメラにて撮像された来訪者映像を居室親機のモニタ４０に出画させることができるばかりでなく、制御装置の制御により録画装置に保存させることができる。【選択図】図１
2006270625.tif 000002
【特許請求の範囲】
【請求項１】
集合住宅のエントランスに設置され来訪者（Ｐ1）が居住者を呼び出して通話を成立させるとともに、少なくとも前記来訪者を内蔵カメラ（１０）にて撮像して来訪者映像を出力するための集合玄関機（１）と、前記来訪者を前記内蔵カメラとは別のアングルで撮像して来訪者映像を出力するための監視カメラ（２）と、前記来訪者映像をモニタ（４０）に出画するとともに、前記来訪者からの呼び出しに前記居住者が応答して前記通話を成立させるための居室親機（４ａ、４ｂ、・・・）と、前記居室親機または前記集合玄関機の操作により開閉制御されるオートドア（５）と、集合住宅内から外へ出ようとする人物（Ｐ2）が前記オートドアに接近したことを人体感知センサ（７）が検知することにより前記オートドアを開閉駆動するためのオートドア駆動装置（６）と、前記人体感知センサが前記人物を検知したとき、前記監視カメラのアングルを前記オートドアに向け、前記人物を撮像して人物監視映像を録画装置（３）に保存するための制御装置（８）とを備えたことを特徴とする集合住宅インターホンシステム。
【請求項２】
前記居室親機は、前記オートドアを通って前記集合住宅内から外へ出ようとする前記人物の前記人物監視映像を撮像する範囲を固定エリアとする向きに予めプリセットされている前記監視カメラのアングルを、前記エントランスに前記来訪者が居る場合は一時的に前記来訪者の向きに変更するためのカメラ選択ボタン（４３）を有することを特徴とする請求項１記載の集合住宅インターホンシステム。
【請求項３】
前記録画装置は、前記エントランスに居る前記来訪者の前記来訪者映像を前記監視カメラにて撮像し保存することを特徴とする請求項１または請求項２記載の集合住宅インターホンシステム。
【発明の詳細な説明】
【技術分野】
【０００１】
本発明は、マンション等の集合住宅に設置される集合住宅インターホンシステムに係り、特に、集合住宅内へと不法に侵入した泥棒等の不審者に対する防犯性が高められた集合住宅インターホンシステムに関する。
【背景技術】
【０００２】
従来から、マンション等の集合住宅に設置される集合住宅インターホンシステムとして、図２のシステム説明図に示す構成の集合住宅インターホンシステムが提案されている。
【０００３】
従来例の集合住宅インターホンシステムにおいて、集合住宅の複数の住戸内にそれぞれ在室中の居住者のうち特定の居住者を来訪者Ｐ101が呼び出して通話を成立させるにあたり、集合住宅のエントランスに設置された集合玄関機１０１にて所定の呼出操作を行うと、少なくとも（呼出操作を行った）来訪者Ｐ101の映像（以下、来訪者映像という。）が内蔵カメラ１１０にて撮像される。また、集合玄関機１０１からの呼び出しがあることを報知するにあたり、（複数の）居室親機１０３ａ、１０３ｂ、・・・のうち呼出先である居住者の住戸内に設置された当該居室親機、例えば、居室親機１０３ａでは、集合玄関機１０１の内蔵カメラ１１０にて撮像された来訪者映像をモニタ１３０に出画させるとともに、スピーカ１３１から呼出音（音声メッセージを含む。）を出力（放音）させることができる。
【０００４】
また、呼出先の居住者が居室親機１０３ａのカメラ選択ボタン１３３を操作すると、この操作を検出した制御装置１０６の制御により、集合玄関機１０１の内蔵カメラ１１０にて撮像された来訪者映像および／または前述の内蔵カメラ１１０とは別のアングルの監視カメラ１０２にて撮像された来訪者映像をモニタ１３０に出画させることができる。
【０００５】
また、居室親機１０３ａのモニタ１３０に出画された来訪者映像、すなわち、集合玄関機１０１の内蔵カメラ１１０にて撮像された来訪者映像および／または監視カメラ１０２にて撮像された来訪者映像とスピーカ１３１から出力（放音）された呼出音（音声メッセージを含む。）とをもとに、集合玄関機１０１にて呼出操作を行った来訪者Ｐ101からの呼び出しを当該来訪者の判別と併せて確認した呼出先の居住者が通話ボタン１３４を操作すると、この操作を検出した制御装置１０６の制御により、呼出元の来訪者Ｐ101が使用する集合玄関機１０１の通話機能（詳述せず）と呼出先の居住者が使用する居室親機１０３ａのスピーカ１３１およびマイク１３２との間の通話路が形成され、形成された通話路を介して音声信号を送受信させることで通話が成立する。
【０００６】
さらに、居室親機１０３ａのモニタ１３０に出画された来訪者映像、すなわち、集合玄関機１０１の内蔵カメラ１１０にて撮像された来訪者映像および／または監視カメラ１０２にて撮像された来訪者映像とスピーカ１３１から出力（放音）された呼出音（音声メッセージを含む。）とをもとに、集合玄関機１０１にて呼出操作を行った来訪者Ｐ101からの呼び出しを当該来訪者の判別と併せて確認した呼出先の居住者が、例えば、前述のような通話成立中にオートロック解除ボタン１３５を操作すると、この操作を検出した制御装置１０６によりオートドア駆動装置１０５が制御され、オートドア１０４が開成されることにより、来訪者Ｐ101は開成されたオートドア１０４を通って集合住宅内へと入り、呼出先である居住者の住戸に向かうことができる。
【０００７】
なお、従来例の集合住宅インターホンシステムを戸建住宅用のインターホンシステムに適用するにあたっては、複数のカメラ手段によって撮像される来客映像（来訪者映像と同意。）を、１台のモニタテレビにおいて同時確認することのできるテレビインターホンシステムが開示されている（例えば、特許文献１を参照。）
【特許文献１】特開２００３−２５０１５１号公報（段落番号００１９〜００５３、図１〜図８）
【発明の開示】
【発明が解決しようとする課題】
【０００８】
しかしながら、従来例の集合住宅インターホンシステムにおいて、集合玄関機１０１の内蔵カメラ１１０および監視カメラ１０２には、それぞれで異なるアングルが固定エリアとして予めプリセットされている。例えば、集合玄関機１０１の内蔵カメラ１１０に予めプリセットされている固定エリアとは、当該集合玄関機の正面を基準に呼出操作を行った来訪者Ｐ101の来訪者映像を撮像する範囲Ａ101であり、監視カメラ１０２に予めプリセットされている固定エリアとは、集合玄関機１０１に向けられ呼出操作を行った来訪者Ｐ101の来訪者映像を左斜め後方から撮像する範囲Ａ102であるように、何れのカメラであっても呼出操作を行った来訪者Ｐ101の来訪者映像を撮像することができる。一方、オートドア１０４を通って集合住宅内から外へと出ようとしている人物Ｐ102の映像を撮像することはできず、この人物Ｐ102が不法に集合住宅内へと侵入した泥棒等の不審者であった場合には、不審者の特定が困難であることから、防犯性が低下していた。
【０００９】
本発明は、前述を解消するためになされたもので、集合住宅内からオートドアを通って外へ出ようとしている人物の映像を撮像し保存することにより、集合住宅内へと不法に侵入した泥棒等の不審者の特定を容易として防犯性を高めた集合住宅インターホンシステムを提供することを目的としている。
【課題を解決するための手段】
【００１０】
前述の目的を達成するため、本発明の集合住宅インターホンシステムは、集合住宅のエントランスに設置され来訪者が居住者を呼び出して通話を成立させるとともに、少なくとも来訪者を内蔵カメラにて撮像して来訪者映像を出力するための集合玄関機と、来訪者を内蔵カメラとは別のアングルで撮像して来訪者映像を出力するための監視カメラと、来訪者映像をモニタに出画するとともに、来訪者からの呼び出しに居住者が応答して通話を成立させるための居室親機と、居室親機または集合玄関機の操作により開閉制御されるオートドアと、集合住宅内から外へ出ようとする人物がオートドアに接近したことを人体感知センサが検知することによりオートドアを開閉駆動するためのオートドア駆動装置と、人体感知センサが人物を検知したとき、監視カメラのアングルをオートドアに向け、人物を撮像して人物監視映像を録画装置に保存するための制御装置とを備えたものである。
【００１１】
また、本発明の第２の態様は、本発明の第１の態様である集合住宅インターホンシステムにおいて、居室親機は、オートドアを通って集合住宅内から外へ出ようとする人物の人物監視映像を撮像する範囲を固定エリアとする向きに予めプリセットされている監視カメラのアングルを、エントランスに来訪者が居る場合は一時的に来訪者の向きに変更するためのカメラ選択ボタンを有するものである。
【００１２】
また、本発明の第３の態様は、本発明の第１の態様または第２の態様である集合住宅インターホンシステムにおいて、録画装置は、エントランスに居る来訪者の来訪者映像を監視カメラにて撮像し保存するものである。
【発明の効果】
【００１３】
本発明の集合住宅インターホンシステムによれば、集合住宅内から外へ出ようとしている人物がオートドアに接近し人体感知センサにて検知されると、オートドア駆動装置の制御によるオートドアの開成に連動して監視カメラにて人物監視映像が撮像され、この人物監視映像を制御装置の制御により録画装置に保存させることができる。これにより、人体感知センサにて検知された人物が不法に集合住宅内へと侵入した泥棒等の不審者であっても、その特定が録画装置から読み出した人物監視映像をもとに容易に可能となり、防犯性が高められる。
【００１４】
また、集合玄関機にて呼出操作を行った来訪者からの呼び出しを確認した居住者が居室親機のカメラ選択ボタンを操作すると、集合住宅内から外へ出ようとする人物の人物監視映像を撮像する範囲を固定エリアとする向きに予めプリセットされている監視カメラのアングルが制御装置の制御により一時的に来訪者に向けられ、この監視カメラにて撮像された来訪者映像を居室親機のモニタに出画させることができるばかりでなく、制御装置の制御により録画装置に保存させることができる。これにより、監視カメラにて撮像される映像を保存する録画装置のメモリ容量を有効的に活用できる。
【発明を実施するための最良の形態】
【００１５】
以下、本発明の集合住宅インターホンシステムを適用した最良の実施の形態例について、図面を参照して説明する。
【００１６】
図１は、本発明の実施例による集合住宅インターホンシステムの構成を示すシステム説明図である。
【００１７】
図１のシステム説明図に示す集合住宅インターホンシステムは、集合住宅のエントランスに設置され、複数の住戸内にぞれぞれ在室中の居住者のうち特定の居住者を来訪者Ｐ1が呼び出して通話を成立させるとともに、少なくとも来訪者Ｐ1の映像をＣＣＤ（Charge Coupled Device）撮像素子、ＣＭＯＳ（Complementary Metal Oxide Semiconductor）撮像素子等の内蔵カメラ１０にて撮像して来訪者映像を出力するための集合玄関機１と、集合住宅のエントランスに設置され、前述の集合玄関機１の内蔵カメラ１０のアングル、例えば、当該集合玄関機の正面を基準に呼出操作を行った来訪者Ｐ1の来訪者映像を撮像する範囲Ａ1とは異なる別のアングル（後述する）で来訪者Ｐ1を撮像して来訪者映像を出力するとともに、集合住宅内から外へ出ようとしている人物Ｐ2の映像を撮像して人物監視映像を出力するためのＣＣＤ撮像素子、ＣＭＯＳ撮像素子等の監視カメラ２と、監視カメラ２にて撮像された来訪者映像および／または人物監視映像を録画データとして保存するためのＲＡＭ（Random Access Memory）、ＥＥＰＲＯＭ（Electrically Erasable Programmable Read Only Memory）等の録画装置３と、集合住宅の複数の住戸内にぞれぞれ設置され、集合玄関機１にて呼出操作を行った来訪者Ｐ1からの呼び出しが当該集合玄関機の内蔵カメラ１０にて撮像された来訪者映像の出画とともに報知され、この呼出報知を確認した居住者が応答して来訪者Ｐ1との間で通話を成立させるとともに、監視カメラ２にて撮像されたリアルタイムの来訪者映像および／または人物監視映像、或いは録画装置３から読み出された録画データである来訪者映像および／または人物監視映像を出画するための（複数の）居室親機４ａ、４ｂ、・・・と、集合住宅内に居る人物Ｐ2が外へ出ようとする場合に自動的に開成（開成制御）されるとともに、集合玄関機１または居室親機４ａ、４ｂ、・・・にて行われる所定の操作（解錠操作）により開閉制御されるオートドア５と、オートドア５を開閉駆動させるためのオートドア駆動装置６と、集合住宅内からオートドア５に接近した人物Ｐ2（の存在）を検知するための人体感知センサ７と、玄関機ラインＬ1を介して接続された集合玄関機１、カメララインＬ2を介して接続された監視カメラ２、録画装置ラインＬ3を介して接続された録画装置３、居室親機ラインＬ4を介してバス接続された（複数の）居室親機４ａ、４ｂ、・・・、駆動装置ラインＬ5を介して接続されたオートドア駆動装置６、センサラインＬ6を介して接続された人体感知センサ７をそれぞれ制御するための制御装置８とから構成され、この制御装置８には、前述の集合玄関機１、監視カメラ２、録画装置３、（複数の）居室親機４ａ、４ｂ、・・・、人体感知センサ７をそれぞれ制御する計時機能が備えられた主制御回路８０と、前述のオートドア駆動装置６を制御するためのオートロック制御回路８１とを有している。
【００１８】
また、（複数の）居室親機４ａ、４ｂ、・・・はそれぞれ同様な構成であり、集合玄関機１の内蔵カメラ１０および／または監視カメラ２にて撮像されたリアルタイムの来訪者映像、監視カメラ２に撮像されたリアルタイムの人物監視映像、録画装置３から読み出された録画データである来訪者映像および／または人物監視映像をそれぞれ出画するためのＬＣＤ（Liquid Crystal Display）、有機ＥＬ（Electro Lumunescence）ディスプレイ等のモニタ４０と、来訪者Ｐ1により呼出操作が行われた集合玄関機１からの呼び出しがある旨の呼出音（音声メッセージを含む。）を出力（放音）するとともに、居住者が来訪者Ｐ1との間で通話を成立させるにあたり当該来訪者からの音声である受話音声が出力（放音）されるスピーカ４１と、スピーカ４１とともに居住者が通話を成立させるにあたり使用し、送話音声を入力するためのするマイク４２と、オートドア５を通って集合住宅内から外へ出ようとする人物Ｐ2の人物監視映像を撮像する範囲Ａ2を固定エリアとする向きに予めプリセットされている監視カメラ２のアングルを、エントランスに来訪者Ｐ1が居る場合は一時的に当該来訪者の向きに変更するためのカメラ選択ボタン４３と、来訪者Ｐ1により呼出操作が行われた集合玄関機１からの呼び出しを当該来訪者の判別と併せて確認した居住者が応答して通話を成立させるための通話ボタン４４およびオートドア５を開成（開成制御）させて来訪者Ｐ1を集合住宅内に招き入れるためのオートロック解錠ボタン４５と、録画装置３に録画データとして保存されている来訪者映像および／または人物監視映像を読み出して自居室親機のモニタ４０に出画させるための再生ボタン４６とを有している。
【００１９】
このように構成された本発明の実施例による集合住宅インターホンシステムにおいて、以下、具体的な動作について説明する。
【００２０】
なお、本発明の実施例において、集合住宅のエントランスに居る来訪者Ｐ1が集合玄関機１にて所定の呼出操作を行い、集合住宅の複数の住戸内にそれぞれ在室中の居住者のうち特定の居住者を呼び出すにあたり、集合玄関機１の内蔵カメラ１０にて撮像された少なくとも（呼出操作を行った）来訪者Ｐ1の来訪者映像を呼出先である居住者の住戸内に設置された当該居室親機、例えば、居室親機４ａのモニタ４０に出画させるとともに、来訪者Ｐ1からの呼び出しがある旨の呼出音（音声メッセージを含む。）をスピーカ４１から出力（放音）させる呼出報知の動作については、従来例の該当動作と同様であることから、その説明は省略する。
【００２１】
図１のシステム説明図において、集合住宅のエントランスに居る来訪者Ｐ1の来訪者映像として、前述の集合玄関機１の内蔵カメラ１０にて撮像された来訪者映像のみならず、監視カメラ２にて撮像される来訪者映像を居室親機４ａのモニタ４０に出画させるため、呼出先の居住者がカメラ選択ボタン４３を操作すると、自居室親機に割り当てられている居室番号を付加させたカメラ選択切換信号が生成される。このカメラ選択切換信号は、居室親機４ａから居室親機ラインＬ4を介して制御装置８の主制御回路８０へと伝送されるとともに、居室親機４ａを除く他の居室親機４ｂ、・・・へとそれぞれ伝送される。
【００２２】
なお、居室親機４ａを除く他の居室親機４ｂ、・・・では、伝送されてきたカメラ選択切換信号が制御装置８の主制御回路８０からの出力信号でないことから、当該カメラ選択切換信号についてそれぞれ無効であると判断する。
【００２３】
居室親機４ａからのカメラ選択切換信号を検出した制御装置８の主制御回路８０は、オートドア５を通って集合住宅内から外へ出ようとする人物Ｐ2を撮像する範囲Ａ2が固定エリアとする向きに予めプリセットされている監視カメラ２のアングルを、一時的に来訪者Ｐ1の向きに変更するためのアングル制御信号（以下、第１のアングル制御信号という。）を生成するとともに、計時機能が能動となり所定のアングル変更時間の計時を開始する。なお、主制御回路８０にて生成された第１のアングル制御信号は、カメララインＬ2を介して監視カメラ２へと伝送される。
【００２４】
また、制御装置８の主制御回路８０からの第１のアングル制御信号を検出した監視カメラ２は、そのアングルを、予めプリセットされているオートドア５を通って集合住宅内から外へ出ようとする人物Ｐ2の向きから来訪者Ｐ1の向き、例えば、呼出操作を行った来訪者Ｐ1の来訪者映像を左斜め後方から撮像する向きに変更する。この監視カメラ２にて撮像された来訪者映像は、適宜、来訪者映像信号に信号処理された後、前述の第１のアングル制御信号と逆の経路を介して制御装置８の主制御回路８０へと伝送される。
【００２５】
また、制御装置８の主制御回路８０は、監視カメラ２からの来訪者映像信号に前述のカメラ選択操作が行われた居室親機４ａに割り当てられている居室番号を付加させた後、居室親機ラインＬ4を介して全ての居室親機４ａ、４ｂ、・・・へと出力するとともに、監視カメラ２からの来訪者映像信号を信号処理、例えば、圧縮させた後、録画装置ラインＬ3を介して接続された録画装置３に録画データとして保存することができる。
【００２６】
さらに、全ての居室親機４ａ、４ｂ、・・・は、制御装置８の主制御回路８０からの来訪者映像信号に付加されている居室番号と自居室親機に割り当てられている居室番号とが一致した場合にのみ、監視カメラ２にて撮像された来訪者映像をモニタ４０に出画させることができる。ここでは、居室親機４ａのみ当該居室番号が一致し、監視カメラ２にて撮像された来訪者映像がモニタ４０に出画される。
【００２７】
前述までの説明から明らかなように、呼出先である居住者の住戸内に設置された居室親機４ａのモニタ４０には、カメラ選択ボタン４３の操作の有無に応じて、集合玄関機１の内蔵カメラ１０にて撮像された来訪者映像および／または監視カメラ２にて撮像された来訪者映像を選択して出画させることができる。
【００２８】
なお、制御装置８の主制御回路８０にて計時されている前述のアングル変更時間がタイムアップとなると、これを検出した主制御回路８０は、アングル復旧信号を生成して前述のアングル変更信号と同様な経路を介して監視カメラ２へと出力することにより、このアングル復旧信号が検出された監視カメラ２では、呼出操作を行った来訪者Ｐ1の来訪者映像を左斜め後方から撮像する向きに変更されていたアングルが予めプリセットされているオートドア５を通って集合住宅内から外へ出ようとする人物Ｐ2の向きに復旧されるとともに、アングルが復旧された監視カメラ２にて撮像される映像の録画装置３への保存動作が主制御回路８０の制御により停止されることから、録画装置３のメモリ容量を有効的に活用できる。
【００２９】
次に、居室親機４ａのモニタ４０に出画された来訪者映像、すなわち、集合玄関機１の内蔵カメラ１０にて撮像された来訪者映像および／または監視カメラ２にて撮像された来訪者映像とスピーカ４１から出力（放音）された呼出音（音声メッセージを含む。）とをもとに、集合玄関機１にて呼出操作を行った来訪者Ｐ1からの呼び出しを当該来訪者の判別と併せて確認した呼出先の居住者が通話ボタン４４を操作すると、呼出先の居住者が使用する居室親機４ａのスピーカ４１およびマイク４２と居室親機ラインＬ4の間の通話路が形成されるとともに、自居室親機に割り当てられている居室番号を付加させた呼出応答信号が生成される。この呼出応答信号は、前述のカメラ選択切換信号と同様な経路を介して、制御装置８の主制御回路８０および居室親機４ａを除く他の居室親機４ｂ、・・・へとそれぞれ伝送される。
【００３０】
なお、居室親機４ａを除く他の居室親機４ｂ、・・・では、伝送されてきた呼出応答信号が制御装置８の主制御回路８０からの出力信号でないことから、当該呼出応答信号についてそれぞれ無効であると判断する。
【００３１】
また、居室親機４ａからの呼出応答信号を検出した制御装置８の主制御回路８０は、来訪者が使用する集合玄関機１の通話機能（詳述せず）が能動となるように当該集合玄関機を制御することにより、呼出先の居住者が使用する居室親機４ａのスピーカ４１およびマイク４２と来訪者が使用する集合玄関機１の通話機能（詳述せず）との間の通話路が形成され、形成された通話路を介して音声信号を送受信させることで通話が成立する。
【００３２】
次に、居室親機４ａのモニタ４０に出画された来訪者映像、すなわち、集合玄関機１の内蔵カメラ１０にて撮像された来訪者映像および／または監視カメラ２にて撮像された来訪者映像とスピーカ４１から出力（放音）された呼出音（音声メッセージを含む。）とをもとに、集合玄関機１にて呼出操作を行った来訪者からの呼び出しを当該来訪者の判別と併せて確認した呼出先の居住者が、例えば、前述のような通話成立中にオートロック解除ボタン４５を操作すると、自居室親機に割り当てられている居室番号を付加させたオートロック解錠起動信号が生成される。このオートロック解錠起動信号は、居室親機４ａから居室親機ラインＬ4、制御装置８の主制御回路８０を介してオートロック制御回路８１へと伝送されるとともに、居室親機４ａを除く他の居室親機４ｂ、・・・へとそれぞれ伝送される。
【００３３】
なお、居室親機４ａを除く他の居室親機４ｂ、・・・では、伝送されてきたオートロック解除起動信号が制御装置８の主制御回路８０からの出力信号でないことから、当該オートロック解除起動信号についてそれぞれ無効であると判断する。
【００３４】
また、居室親機４ａからのオートロック解錠起動信号を検出した制御装置８のオートロック制御回路８１は、予め施錠されているオートドア５をオートドア駆動装置６の制御により（自動的に）開成させるためのオートロック解除信号を生成する。このオートロック信号は、オートロック制御回路８１から駆動装置ラインＬ5を介してオートドア駆動装置６へと伝送される。
【００３５】
さらに、制御装置８のオートロック制御回路８１からのオートロック解除信号を検出したオートドア駆動装置６は、予め施錠されているオートドア５を解錠させることにより、来訪者Ｐ1は（自動的に）開成されたオートドア５を通って集合住宅内へと入り、呼出先である居住者の住戸に向かうことができる。
【００３６】
次に、集合住宅内から外へ出ようとしている人物Ｐ2が予め施錠されているオートドア５に接近すると、人体感知センサ７が検知エリアＡ3内における人物Ｐ2（の存在）を検知し、その旨の人体感知信号を生成する。この人体感知信号は、人体感知センサ７からセンサラインＬ6を介して制御装置８の主制御回路８０へと伝送される。
【００３７】
人体感知センサ７からの人体感知信号を検出した制御装置８の主制御回路８０は、オートロック制御回路８１を制御して前述のオートロック解除信号を駆動装置ラインＬ5を介してオートドア駆動回路６に出力させるとともに、監視カメラ２のアングルを、予めプリセットされているオートドア５を通って集合住宅内から外へ出ようとする人物Ｐ2を撮像する範囲Ａ2で固定させるためのアングル制御信号（以下、第２のアングル制御信号という。）を生成する。なお、主制御回路８０にて生成された第２のアングル制御信号は、前述の第１のアングル制御信号と同様な経路を介して監視カメラ２へと伝送される。
【００３８】
また、制御装置８のオートロック制御回路８１からのオートロック解除信号を検出したオートドア駆動装置６は、予め施錠されているオートドア５を解錠させることにより、集合住宅内に居る人物Ｐ2は（自動的に）開成されたオートドア５を通って外へ出ることができる。
【００３９】
また、制御装置８の主制御回路８０からの第２のアングル制御信号を検出した監視カメラ２は、そのアングルが予めプリセットされているオートドア５を通って集合住宅内から外へ出ようとする人物Ｐ2の向きで固定されることから、（自動的に）開成されたオートドア５を通って外へ出ようとしている人物Ｐ2の人物監視映像を正面から撮像することができる。この監視カメラ２にて撮像された人物監視映像は、適宜、人物監視映像信号に信号処理された後、前述の来訪者映像信号と同様な経路を介して制御装置８の主制御回路８０へと伝送される。
【００４０】
さらに、制御装置８の主制御回路８０は、監視カメラ２からの人物監視映像信号を信号処理、例えば、圧縮させた後、録画装置ラインＬ3を介して接続された録画装置３に録画データとして保存することができる。
【００４１】
次に、前述のように録画装置３に保存された録画データである来訪者映像信号および／または人物監視映像信号を読み出すにあたって、集合住宅の複数の住戸内にそれぞれ在室中の居住者のうち、例えば、居室親機４ａが設置された住戸内に在室中の居住者が再生ボタン４６を操作して所望の録画データを選択すると、自居室親機に割り当てられている居室番号を付加させた録画データ読出信号が生成される。この録画データ読出信号は、前述のカメラ切換選択信号および呼出応答信号と同様な経路を介して、制御装置８の主制御回路８０および居室親機４ａを除く他の居室親機４ｂ、・・・へとそれぞれ伝送される。
【００４２】
なお、居室親機４ａを除く他の居室親機４ｂ、・・・では、伝送されてきた録画データ読出信号が制御装置８の主制御回路８０からの出力信号でないことから、当該録画データ読出信号についてそれぞれ無効であると判断する。
【００４３】
また、居室親機４ａからの録画データ読出信号を検出した制御装置８の主制御回路８０は、所望の録画データを録画装置ラインＬ3を介して接続された録画装置３から読み出し、読み出された録画データを信号処理、例えば、伸張させた後、居室親機４ａに割り当てられている居室番号を付加させた録画データ信号を生成する。この録画データ信号は、主制御回路８０から居室親機ラインＬ4を介して全ての居室親機４ａ、４ｂ、・・・へとそれぞれ伝送される。
【００４４】
さらに、全ての居室親機４ａ、４ｂ、・・・は、制御装置８の主制御回路８０からの録画データ信号に付加されている居室番号と自居室親機に割り当てられている居室番号とが一致した場合にのみ、録画装置３から読み出された録画データである来訪者映像および／または人物監視映像をモニタ４０に出画させることができる。ここでは、居室親機４ａのみ当該居室番号が一致し、録画装置３から読み出された録画データである来訪者映像および／または人物監視映像がモニタ４０に出画されることにより、特に、人物監視映像に映し出されている人物Ｐ2が集合住宅内へと不法に侵入した泥棒等の不審者であった場合、その不審者の特定が容易となり、防犯性が高められる。
【００４５】
なお、本発明の実施例によれば、録画装置３に保存させた録画データである人物監視映像を出画させる端末として、（複数の）居室親機４ａ、４ｂ、・・・を適用したが、これに限定されず、公衆回線やインターネット等の通信網を利用して制御装置８（の主制御回路８０）と警備会社等に設置されるサーバ（図示せず）とを接続することにより、録画装置３に保存させた録画データである人物監視映像を警備会社等に定期的に転送させることもでき、集合住宅内へと不法に侵入した泥棒等の不審者の特定が警備会社等でも可能となり、防犯性をさらに高めることができる。
【００４６】
また、本発明の実施例によれば、カメラ選択ボタン４３、通話ボタン４４、オートロック解錠ボタン４５、再生ボタン４６を個別の操作ボタンとして（複数の）居室親機４ａ、４ｂ、・・・にそれぞれ設けたが、この構成の当該居室親機に限定されず、前述の各種ボタン４３、４４、４５、４６をタッチパネルとして設けることもできる。
【００４７】
また、本発明の実施例によれば、集合玄関機１、監視カメラ２、録画装置３、（複数の）居室親機４ａ、４ｂ、・・・をそれぞれ制御するための主制御回路８０とオートドア駆動装置６を制御するためのオートロック制御回路８１とが備えられた制御装置８を適用したが、この構成の当該制御装置に限定されず、集合玄関機１、監視カメラ２、録画装置３、（複数の）居室親機４ａ、４ｂ、・・・をそれぞれ制御するためのインターホン制御装置およびオートドア駆動装置６を制御するためのオートロック制御装置のように、別途の制御装置として設けることもできる。
【００４８】
さらに、本発明の実施例によれば、オートドア駆動装置６および人体感知センサ７をそれぞれ別体として設けたが、この構成に限定されず、オートドア駆動装置６および人体感知センサ７を一体的に構成して設けることもできる。
【図面の簡単な説明】
【００４９】
【図１】本発明の実施例による集合住宅インターホンシステムの構成を示すシステム説明図。
【図２】従来例の集合住宅インターホンシステムの構成を示すシステム説明図。
【符号の説明】
【００５０】
１……集合玄関機
１０……内蔵カメラ
２……監視カメラ
３……録画装置
４ａ、４ｂ、・・・ ……（複数の）居室親機
４３……カメラ選択ボタン
５……オートドア
６……オートドア駆動装置
７……人体感知センサ
８……制御装置
Ｐ1……来訪者
Ｐ2……（集合住宅内から外へ出ようとしている）人物
【図１】
2006270625.tif 000003
【図２】
2006270625.tif 000004